(57)【要約】実施形態は、基地局とリレーの間のバックホールリンクのために復調基準信号（ＤＲＳ）を割り当てるための１または複数の方法および装置を企図する。１または複数の実施形態は、バックホールリンクの受信端での復調用の基準として複数の直交カバーコード（ＯＣＣ）を生成するプロセッサを含む。プロセッサは、生成された複数のＯＣＣをＤＲＳグループで、サブフレームに関連付けられる１または複数の直交周波数分割多重化（ＯＦＤＭ）シンボルの選択的なリソース要素に割り当てる。
2014529226.tif 000002
【特許請求の範囲】
【請求項１】
プロセッサであって、少なくとも一部に、
バックホールリンクの受信端での復調用の基準として１または複数の直交カバーコード（ＯＣＣ）を生成し、
前記１または複数のＯＣＣを１または複数の復調基準信号（ＤＲＳ）グループで、サブフレームに関連付けられた１または複数の直交周波数分割多重化（ＯＦＤＭ）シンボルの１または複数のリソース要素に割り当てる
ように構成された、前記プロセッサ
を備えたことを特徴とするデバイス。
【請求項２】
前記１または複数のＯＣＣは時間領域で生成されることを特徴とする請求項１に記載のデバイス。
【請求項３】
前記１または複数のＯＣＣの各々は、少なくとも２つのＯＣＣシンボルの長さを有することを特徴とする請求項２に記載のデバイス。
【請求項４】
前記１または複数のＯＣＣは周波数領域で生成されることを特徴とする請求項１に記載のデバイス。
【請求項５】
前記１または複数のＯＣＣの各々は、６個までのＯＣＣシンボルの長さを有することを特徴とする請求項４に記載のデバイス。
【請求項６】
前記１または複数のＯＣＣは１または複数のＯＣＣシーケンスで生成され、前記１または複数のＯＣＣシーケンスの各々は前記１または複数のＯＣＣごとに６個までのＯＣＣシンボルを含み、前記それぞれのＯＣＣシーケンスの各々は他のＯＣＣシーケンスに対して直交することを特徴とする請求項５に記載のデバイス。
【請求項７】
前記プロセッサは、それぞれのＤＲＳグループの各々が、前記サブフレーム内のそれぞれ異なるタイミングまたは前記サブフレーム内のそれぞれ異なる周波数のうちの少なくとも１つで割り当てられるように、前記１または複数のＯＣＣを前記１または複数のＤＲＳグループで割り当てるようにさらに構成されたことを特徴とする請求項１に記載のデバイス。
【請求項８】
前記プロセッサは、前記１または複数のそれぞれのＤＲＳグループの各々のＯＣＣが前記サブフレームの第２のタイムスロットに割り当てられないように前記サブフレームの第１のタイムスロット、または前記１または複数のそれぞれのＤＲＳグループの各々のＯＣＣが前記サブフレームの１または複数の開始サブキャリアまたは前記サブフレームの１または複数の終了サブキャリアに割り当てられないように前記サブフレームのサブキャリアの第１のサブセット、のうちの少なくとも１つで、前記１または複数のＯＣＣを前記１または複数のＤＲＳグループで割り当てるようにさらに構成されたことを特徴とする請求項１に記載のデバイス。
【請求項９】
前記サブフレームは少なくとも第１のタイムスロットと第２のタイムスロットとを有し、前記プロセッサは、前記１または複数のそれぞれのＤＲＳグループの各々のＯＣＣが、前記サブフレームの前記第２のタイムスロットに関連付けられた前記１または複数のＯＦＤＭシンボルの最初の７つのシンボルのうちの少なくとも１つに割り当てられるように、前記１または複数のＯＣＣを前記１または複数のＤＲＳグループで前記サブフレームの第２のタイムスロットにおいて割り当てるようにさらに構成されたことを特徴とする請求項１に記載のデバイス。
【請求項１０】
前記プロセッサは、前記サブフレームの１または複数のリソースブロック内の前記ＯＣＣの位置によって画定される複数のＤＲＳグループパターンの１つを選択するようにさらに構成され、前記１または複数のＯＣＣを前記１または複数のＤＲＳグループで割り当てることは、前記ＤＲＳパターンの選択された１つに基づくことを特徴とする請求項１に記載のデバイス。
【請求項１１】
前記１または複数のＯＣＣを前記１または複数のＤＲＳグループで、１または複数のＯＦＤＭシンボルの前記１または複数のリソース要素に割り当てることは、前記ＤＲＳグループを前記サブフレームのリソースブロック内の連続するＯＦＤＭシンボルに割り当てることを含むことを特徴とする請求項１に記載のデバイス。
【請求項１２】
デバイスは固定されたリレーノードまたは移動リレーノードのうちの少なくとも１つであり、および前記プロセッサは別のデバイスに対して前記サブフレームを含むバックホール通信を開始するようにさらに構成されたことを特徴とする請求項１に記載のデバイス。
【請求項１３】
当該デバイスは、基地局、ドナー高度化ノードＢ（ＤｅＮＢ）、または高度化ノードＢ（ｅＮＢ）のうちの少なくとも１つであることを特徴とする請求項１に記載のデバイス。
【請求項１４】
無線通信ネットワークの第１のデバイスによって、前記無線通信ネットワークの前記第１のデバイスと第２のデバイスとの間のバックホールリンクの受信端での復調用の基準として、１または複数の直交カバーコード（ＯＣＣ）を生成するステップと、
前記第１のデバイスによって、前記１または複数のＯＣＣを１または複数の復調基準信号（ＤＲＳ）グループで、サブフレームに関連付けられた１または複数の直交周波数分割多重化（ＯＦＤＭ）シンボルの１または複数のリソース要素に割り当てるステップと
を備えたことを特徴とする方法。
【請求項１５】
前記１または複数のＯＣＣを生成するステップは、前記１または複数のＯＣＣをＯＣＣシーケンスで周波数領域において生成するステップを含み、前記１または複数のＯＣＣは６個までのＯＣＣシンボルの長さを有し、前記１または複数のＯＣＣシーケンスの各々は前記１または複数のＯＣＣごとに６個までのＯＣＣシンボルを含み、それぞれのＯＣＣシーケンスの各々は他のＯＣＣシーケンスに対して直交することを特徴とする請求項１４に記載の方法。
【請求項１６】
前記１または複数のＯＣＣを前記１または複数のＤＲＳグループで、前記１または複数の直交周波数分割多重化（ＯＦＤＭ）シンボルの前記１または複数のリソース要素に割り当てるステップは、前記サブフレームの隣接するＯＦＤＭシンボルに対応する前記リソース要素が共通のサブキャリアに対応するように、前記１または複数のＤＲＳグループを前記隣接するＯＦＤＭシンボルに割り当てるステップを含むことを特徴とする請求項１４に記載の方法。
【請求項１７】
前記１または複数のＯＣＣを前記１または複数のＤＲＳグループで、前記１または複数の直交周波数分割多重化（ＯＦＤＭ）シンボルの前記１または複数のリソース要素に割り当てるステップは、前記サブフレームの隣接するＯＦＤＭシンボルに対応する前記リソース要素が少なくとも１つの異なるサブキャリアに対応するように、前記ＤＲＳグループを前記隣接するＯＦＤＭシンボルに割り当てるステップを含むことを特徴とする請求項１４に記載の方法。
【請求項１８】
プロセッサであって、少なくとも一部に、
５つ以上の多入力―多出力（ＭＩＭＯ）レイヤで第２のデバイスに対するバックホールリンクを確立し、
５つ以上のＭＩＭＯレイヤの対応するレイヤを使用して５つ以上のアンテナを介して前記第２のデバイスに対する通信を開始するように構成された、前記プロセッサを備え、
前記通信は、前記バックホールリンクを前記５つ以上のＭＩＭＯレイヤで動作させるために前記第２のデバイスのための制御チャネル用の構成情報を含むことを特徴とする第１のデバイス。
【請求項１９】
前記制御チャネルの前記構成は、基準信号アンテナポート、直交カバーコード（ＯＣＣ）インデックス、レイヤの数、基準信号スクランブリングシーケンス、またはプリコーディングマトリクスインジケータ（ＰＭＩ）のうちの少なくとも１つを含むことを特徴とする請求項１８に記載の第１のデバイス。
【請求項２０】
前記第２のデバイスはリレーノードであることを特徴とする請求項１８に記載の第１のデバイス。
【発明の詳細な説明】
【技術分野】
【０００１】
（関連出願の相互参照）
本願は、２０１１年８月１１日に出願された「Ｍｅｔｈｏｄｓ  ａｎｄ  Ａｐｐａｒａｔｕｓ  ｆｏｒ  ＭＩＭＯ  Ｅｎｈａｎｃｅｍｅｎｔ  ｆｏｒ  Ｂａｃｋｈａｕｌ  Ｒｅｌａｙｓ」という名称の米国仮特許出願第６１／５２２３８３号の利益を主張し、その内容全体を参照により本明細書に組み込む。
【０００２】
本発明は、バックホールリレーのための多入力および多出力（ＭＩＭＯ）拡張に関する。
【背景技術】
【０００３】
リレーは、固定されたネットワーク基地局である。リレーは、通常の基地局が行うように専用の有線または無線のバックホールリンクを使用する代わりに、インバンド無線バックホールリンクを介して無線通信ネットワークと接続する。インバンド中継は、リレーによっても移動電話などユーザ機器によっても使用される同じ無線リソースを必要とする。
【０００４】
リレーは、専用のバックホールリンクが利用可能でない領域にカバレージの拡張を提供する。いくつかの無線通信ネットワークにおいては、中継機能は、高度化（または、進化型（ｅｖｏｌｖｅｄ）ノードＢ（ｅＮｏｄｅＢまたはｅＮＢ）に接続するリレーノードによって提供され、この高度化ノードＢはその特定のリレーノードのためのドナーｅＮｏｄｅＢ(ＤｅＮＢ)と呼ばれる。
【発明の概要】
【発明が解決しようとする課題】
【０００５】
本発明では、基地局とリレーとの間のバックホールリンクのために復調基準信号（ＤＲＳ）を割り当てるための方法および装置を提供する。
【課題を解決するための手段】
【０００６】
この概要は、以下、詳細な説明でさらに述べる概念の選択されたものを簡潔な形態で紹介するために設けられている。この概要は、特許請求される主題の重要な特徴または不可欠な特徴を識別することを意図するものでもなく、また特許請求されている主題の範囲を限定するために使用されることを意図するものでもない。
【０００７】
実施形態は、基地局とリレーとの間のバックホールリンクのために復調基準信号（ＤＲＳ、ＤＭＲＳと呼ばれることもある）を割り当てるための方法および装置を企図する。１つの例示的な方法は、プロセッサが、バックホールリンクの受信端での復調用の基準として複数の直交カバーコード（ＯＣＣ）を生成することと、該生成された複数のＯＣＣをＤＲＳグループで、これらのＯＣＣが長さ６のものになるように、サブフレームに関連付けられた１または複数の直交周波数分割多重化（ＯＦＤＭ）シンボルの選択的なリソース要素に割り当てることとを含む。
【０００８】
他の例示的な方法は、プロセッサが、バックホールリンクの受信端での復調用の基準として複数の直交カバーコード（ＯＣＣ）を生成することと、該生成された複数のＯＣＣをＤＲＳグループで、それぞれのＤＲＳグループの各々がサブフレームに関連付けられた複数の直交周波数分割多重化（ＯＦＤＭ）シンボルのそれぞれ異なる１つまたは複数に割り当てられるように、サブフレームに関連付けられた１または複数のＯＦＤＭシンボルの選択的なリソース要素に割り当てることとを含む。
【０００９】
他の例示的な方法は、プロセッサが、バックホールリンクの受信端での復調用の基準として複数の直交カバーコード（ＯＣＣ）を生成することと、該生成された複数のＯＣＣをＤＲＳグループで、（１）それぞれのＤＲＳグループの各々のＯＣＣがサブフレームの第２のタイムスロットに割り当てられないようにサブフレームの第１のタイムスロット、または（２）それぞれのＤＲＳグループの各々のＯＣＣがサブフレームの複数の開始サブキャリアまたは複数の終了サブキャリアに割り当てられないようにサブフレームのサブキャリアの第１のサブセット、のうちの少なくとも１つに関連付けられた１または複数の直交周波数分割多重化（ＯＦＤＭ）シンボルの選択的なリソース要素に割り当てることとを含む。
【００１０】
いくつかの例示的な実施形態では、該プロセッサは、測定された結果に基づいて、サブフレームのリソースブロック内のＯＣＣの位置によって画定される複数のＤＲＳパターンの１つを選択する。
【００１１】
いくつかの例示的な実施形態では、該生成された複数のＯＣＣをＤＲＳグループで割り当てることは、ＤＲＳパターンの選択されたものに基づく。
【００１２】
いくつかの例示的な実施形態では、該ＯＣＣを生成することは、複数の異なる直交符号の１つを生成することを含み、選択されたＯＦＤＭシンボルの異なるリソース要素にそれぞれが割り当てられる。
【００１３】
いくつかの例示的な実施形態では、該生成された複数のＯＣＣをＤＲＳグループで１または複数のＯＦＤＭシンボルの選択的なリソース要素に割り当てることは、ＤＲＳグループをリソースブロック内の連続するＯＦＤＭシステムに割り当てることを含む。
【００１４】
いくつかの例示的な実施形態では、該生成された複数のＯＣＣをＤＲＳグループで１または複数のＯＦＤＭシンボルの選択的なリソース要素に割り当てることは、ＤＲＳグループをリソースブロックの選択的な連続するサブキャリアに割り当てることを含む。
【００１５】
いくつかの例示的な実施形態では、該生成された複数のＯＣＣをＤＲＳグループで１または複数のＯＦＤＭシンボルの選択的なリソース要素に割り当てることは、第１のリソースブロックおよび第２のリソースブロック内の選択的なリソース要素が共通のサブキャリアに対応するように、ＤＲＳグループをサブフレームの第１のリソースブロックおよび第２のリソースブロックで、連続するＯＦＤＭシステムに割り当てることを含む。
【００１６】
いくつかの例示的な実施形態では、該生成された複数のＯＣＣをＤＲＳグループで１または複数のＯＦＤＭシンボルの選択的なリソース要素に割り当てることは、第１のリソースブロックおよび第２のリソースブロック内の選択的なリソース要素が異なるサブキャリアに対応するように、ＤＲＳグループをサブフレームの第１のリソースブロックおよび第２のリソースブロックで、連続するＯＦＤＭシステムに割り当てることを含む。
【００１７】
いくつかの例示的な実施形態では、該生成された複数のＯＣＣをＤＲＳグループで１または複数のＯＦＤＭシンボルの選択的なリソース要素に割り当てることは、第１のリソースブロックおよび第２のリソースブロック内の選択的なリソース要素が共通のサブキャリアに対応するように、ＤＲＳグループをサブフレームの第１のリソースブロックおよび第２のリソースブロックで、連続するサブキャリアに割り当てることを含む。
【００１８】
いくつかの例示的な実施形態では、該生成された複数のＯＣＣをＤＲＳグループで１または複数のＯＦＤＭシンボルの選択的なリソース要素に割り当てることは、第１のリソースブロックおよび第２のリソースブロック内の選択的なリソース要素が少なくとも１つの異なるサブキャリアに対応するように、ＤＲＳグループをサブフレームの第１のリソースブロックおよび第２のリソースブロックで、連続するサブキャリアに割り当てることを含む。
【００１９】
基地局とリレーの間のバックホールリンクを使用して送信するための追加の例示的な方法は、基地局が、５つ以上の多入力―多出力（ＭＩＭＯ）レイヤでバックホールリンクを構築することと、対応するＭＩＭＯレイヤを使用して５つ以上のアンテナを介してリレーと通信することとを含む。
【００２０】
いくつかの例示的な実施形態では、該リレーは、移動リレーであり、５つ以上のアンテナを介して通信しながら移動する。
【００２１】
いくつかの例示的な実施形態では、該基地局によって、対応するＭＩＭＯレイヤを使用して５つ以上のアンテナを介してリレーと通信するステップは、シングルユーザＭＩＭＯまたはマルチユーザＭＩＭＯのうちの１つを使用して通信することを含む。
【００２２】
基地局とリレーとの間のバックホールリンクのために復調基準信号（ＤＲＳ）を割り当てるための例示的な基地局は、（１）バックホールリンクの受信端での復調用の基準として複数の直交カバーコード（ＯＣＣ）を生成し、（２）該生成された複数のＯＣＣをＤＲＳグループで、サブフレームに関連付けられた１または複数の直交周波数分割多重化（ＯＦＤＭ）シンボルの選択的なリソース要素に割り当てるように構成されたプロセッサと、サブフレームを含むバックホール通信をリレーに送るように構成された送信機／受信機ユニットとを含む。該ＯＣＣは長さ６のものであり、またはそれぞれのＤＲＳグループの各々はサブフレームに関連付けられた複数のＯＦＤＭシンボルのそれぞれ異なる１つまたは複数に割り当てられる。
【００２３】
他の例示的な基地局は、（１）バックホールリンクの受信端での復調用の基準として複数の直交カバーコード（ＯＣＣ）を生成し、（２）該生成された複数のＯＣＣをＤＲＳグループで、（１）それぞれのＤＲＳグループの各々のＯＣＣがサブフレームの第２のタイムスロットに割り当てられないようにサブフレームの第１のタイムスロット、または（２）それぞれのＤＲＳグループの各々のＯＣＣがサブフレームの複数の開始サブキャリアまたは複数の終了サブキャリアに割り当てられないようにサブフレームのサブキャリアの第１のサブセット、のうちの少なくとも１つに関連付けられた１または複数の直交周波数分割多重化（ＯＦＤＭ）シンボルの選択的なリソース要素に割り当てるように構成されたプロセッサと、サブフレームを含むバックホール通信をリレーに送るように構成された送信機／受信機ユニットとを含む。
【００２４】
割り当てられた復調基準信号（ＤＲＳ）を含む通信を、基地局とリレーとの間のバックホールリンクを使用して受信するための例示的なリレーは、割り当てられたＤＲＳを含む通信を受信するように構成された送信機／受信機ユニットと、（１）ＤＲＳ内で該リレーにて復調するための基準として複数の直交カバーコード（ＯＣＣ）を決定し、（２）ＤＲＳのＯＣＣに基づいて通信を復調するように構成されたプロセッサであって、複数のＯＣＣは、ＤＲＳグループで、通信のサブフレームに関連付けられた１または複数の直交周波数分割多重化（ＯＦＤＭ）シンボルの選択的なリソース要素に割り当てられる、プロセッサとを含む。
【００２５】
実施形態は、プロセッサを備える１または複数のデバイスを企図する。１または複数の実施形態では、プロセッサは、少なくとも一部には、バックホールリンクの受信端での復調用の基準として１または複数の直交カバーコード（ＯＣＣ）を生成するように構成される。また、プロセッサは、１または複数のＯＣＣを１または複数の復調基準信号（ＤＲＳ）グループで、サブフレームに関連付けられた１または複数の直交周波数分割多重化（ＯＦＤＭ）シンボルの１または複数のリソース要素に割り当てるように構成される。１または複数の実施形態では、１または複数のＯＣＣは、時間領域で生成される。１または複数の実施形態では、１または複数のＯＣＣのそれぞれは少なくとも２つのＯＣＣシンボルの長さを有する。代替としてまたはそれに加えて、いくつかの実施形態では、１または複数のＯＣＣは周波数領域で生成される。１または複数の実施形態では、１または複数のＯＣＣのそれぞれは、６個までのＯＣＣシンボルの長さを有する。代替として、またはそれに加えて、実施形態は、１または複数のＯＣＣが１または複数のＯＣＣシーケンスで生成され、１または複数のＯＣＣシーケンスのそれぞれが１または複数のＯＣＣごとに６個までのＯＣＣシンボルを含むことを企図する。さらに、いくつかの実施形態では、それぞれのＯＣＣシーケンスのそれぞれは、他のＯＣＣシーケンスに対して直交する。
【００２６】
実施形態は、無線通信ネットワークの第１のデバイスによって、無線通信ネットワークの第１のデバイスと第２のデバイスとの間のバックホールリンクの受信端での復調用の基準として、１または複数の直交カバーコード（ＯＣＣ）を生成するステップを含む１または複数の方法を企図する。また、１または複数の実施形態は、第１のデバイスによって、１または複数のＯＣＣを１または複数の復調基準信号（ＤＲＳ）グループで、サブフレームに関連付けられた１または複数の直交周波数分割多重化（ＯＦＤＭ）シンボルの１または複数のリソース要素に割り当てるステップを企図する。１または複数の実施形態では、１または複数のＯＣＣを１または複数のＤＲＳグループで、１または複数の直交周波数分割多重化（ＯＦＤＭ）シンボルの１または複数のリソース要素に割り当てることは、サブフレームの隣接するＯＦＤＭシンボルに対応するリソース要素が共通のサブキャリアに対応するように、１または複数のＤＲＳグループをそれらの隣接するＯＦＤＭシンボルに割り当てることを含む。代替として、またはそれに加えて、１または複数の実施形態は、１または複数のＯＣＣを１または複数のＤＲＳグループで、１または複数の直交周波数分割多重化（ＯＦＤＭ）シンボルの１または複数のリソース要素に割り当てることは、サブフレームの隣接するＯＦＤＭシンボルに対応するリソース要素が少なくとも１つの異なるサブキャリアに対応するように、ＤＲＳグループをそれらの隣接するＯＦＤＭシンボルに割り当てることを含むことを企図する。
【００２７】
実施形態は、プロセッサを含む１または複数のデバイスを企図する。プロセッサは、少なくとも一部には、５つ以上の多入力―多出力（ＭＩＭＯ）レイヤで第２のデバイスに対するバックホールリンクを確立するように構成される。１または複数の実施形態では、プロセッサは、５つ以上のＭＩＭＯレイヤの対応するレイヤを使用して５つ以上のアンテナを介して第２のデバイスに対する通信を開始するように構成される。いくつかの実施形態では、通信は、バックホールリンクを５つ以上のＭＩＭＯレイヤで動作させるために第２のデバイスのための制御チャネル用の構成情報を含む。１または複数の実施形態では、制御チャネルの構成は、基準信号アンテナポート、直交カバーコード（ＯＣＣ）インデックス、レイヤの数、基準信号スクランブリングシーケンス、またはプリコーディングマトリクスインジケータ（ＰＭＩ）のうちの少なくとも１つを含む。１または複数の実施形態は、第２のデバイスがリレーノードであることを企図する。
【図面の簡単な説明】
【００２８】
より詳細な理解が、本明細書に添付の図面と共に、例として与えられている詳細な説明から得られる。そのような図面内の図は、詳細な説明のように例である。したがって、図および詳細な説明は、限定的なものとみなすべきでなく、他の等しく効果的な例が可能であり、また、あると思われる。
【００２９】
【図１Ａ】１または複数の開示されている実施形態が実装される例示的な通信システムのシステム図である。
【図１Ｂ】図１Ａに示されている通信システム内で使用される無線送信／受信ユニット（ＷＴＲＵ）のシステム図である。
【図１Ｃ】図１Ａに示されている通信システム内で使用される例示的な無線アクセスネットワークおよび例示的なコアネットワークのシステム図である。
【図２】実施形態と一貫しているリレーを含む例示的な通信システムを示す図である。
【図３Ａ】実施形態と一貫しているリレー通信に関連するタイミングオフセットおよび伝播を示す例示的なタイミング図である。
【図３Ｂ】実施形態と一貫しているリレー通信に関連するタイミングオフセットおよび伝播を示す例示的なタイミング図である。
【図３Ｃ】実施形態と一貫しているリレー通信に関連するタイミングオフセットおよび伝播を示す例示的なタイミング図である。
【図４Ａ】実施形態と一貫している図３Ａないし図３Ｃの異なるダウンリンク（ＤＬ）タイミングオフセットおよび伝播に関連する復調基準信号（ＤＭＲＳ）位置を示す例示的なタイムスロット図である。
【図４Ｂ】実施形態と一貫している図３Ａないし図３Ｃの異なるダウンリンク（ＤＬ）タイミングオフセットおよび伝播に関連する復調基準信号（ＤＭＲＳ）位置を示す例示的なタイムスロット図である。
【図５Ａ】いくつかの例示的な実施形態による図３Ａないし図３Ｃの異なるダウンリンク（ＤＬ）タイミングオフセットおよび伝播に関連する復調基準信号（ＤＭＲＳ）位置を示す他の例示的なタイムスロット図である。
【図５Ｂ】いくつかの例示的な実施形態による図３Ａないし図３Ｃの異なるダウンリンク（ＤＬ）タイミングオフセットおよび伝播に関連する復調基準信号（ＤＭＲＳ）位置を示す他の例示的なタイムスロット図である。
【図５Ｃ】いくつかの例示的な実施形態による図３Ａないし図３Ｃの異なるダウンリンク（ＤＬ）タイミングオフセットおよび伝播に関連する復調基準信号（ＤＭＲＳ）位置を示す他の例示的なタイムスロット図である。
【図５Ｄ】いくつかの例示的な実施形態による図３Ａないし図３Ｃの異なるダウンリンク（ＤＬ）タイミングオフセットおよび伝播に関連する復調基準信号（ＤＭＲＳ）位置を示す他の例示的なタイムスロット図である。
【図５Ｅ】いくつかの例示的な実施形態による図３Ａないし図３Ｃの異なるダウンリンク（ＤＬ）タイミングオフセットおよび伝播に関連する復調基準信号（ＤＭＲＳ）位置を示す他の例示的なタイムスロット図である。
【図５Ｆ】いくつかの例示的な実施形態による図３Ａないし図３Ｃの異なるダウンリンク（ＤＬ）タイミングオフセットおよび伝播に関連する復調基準信号（ＤＭＲＳ）位置を示す他の例示的なタイムスロット図である。
【発明を実施するための形態】
【００３０】
次に、例示的な実施形態の詳細な説明について様々な図を参照して述べる。この説明は、可能な実装の詳細な例を提供するが、これらの詳細は例示的なものであり、決して本願の範囲を限定しないことが意図されていることを理解されたい。本明細書では、他の修飾または描写のない冠詞「ａ」または「ａｎ」は、たとえば「１または複数」または「少なくとも１つ」を意味すると理解される。また、本明細書では、ユーザ機器（ＵＥ）という語句は、無線送信／受信ユニット（ＷＴＲＵ）という語句と同じものを意味すると理解される。
【００３１】
図１Ａは、１または複数の開示されている実施形態が実装される例示的な通信システム１００のシステム図である。通信システム１００は、音声、データ、映像、メッセージング、ブロードキャストなど、コンテンツを複数の無線ユーザに送る多元接続システムである。通信システム１００は、複数の無線ユーザが、無線帯域幅を含むシステムリソースの共用を通じてそのようなコンテンツにアクセスすることを可能にする。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、１または複数のチャネルアクセス方法を使用する。
【００３２】
図１Ａに示されているように、通信システム１００は、無線送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むが、開示されている実施形態は任意の数のＷＴＲＵ、基地局、ネットワーク、および／またはネットワーク要素を企図していることを理解されたい。ＷＴＲＵ１０２ａ、１０２ｂ、１０２ｃ、１０２ｄのそれぞれは、無線環境で動作および／または通信するように構成された任意のタイプのデバイスである。たとえば、ＷＴＲＵ１０２ａ、１０２ｂ、１０２ｃ、１０２ｄは、無線信号を送信および／または受信するように構成され、ユーザ機器（ＵＥ）、移動局、固定型または移動型加入者ユニット、ページャ、セルラ電話、携帯情報端末（ＰＤＡ）、スマートフォン、ラップトップ、ネットブック、パーソナルコンピュータ、無線センサ、家電などを含む。
【００３３】
また、通信システム１００は、基地局１１４ａおよび基地局１１４ｂを含む。基地局１１４ａ、１１４ｂのそれぞれは、ＷＴＲＵ１０２ａ、１０２ｂ、１０２ｃ、１０２ｄの少なくとも１つと無線でインターフェースし、コアネットワーク１０６、インターネット１１０、および／またはネットワーク１１２など、１または複数の通信ネットワークへのアクセスを円滑にするように構成された任意のタイプのデバイスである。たとえば、基地局１１４ａ、１１４ｂは、ベーストランシーバ基地局（ＢＴＳ）、ノードＢ、高度化ノードＢ（ｅＮｏｄｅＢ）、ホームノードＢ、ホーム高度化ノードＢ（ｅＮｏｄｅＢ）、サイトコントローラ、アクセスポイント（ＡＰ）、無線ルータなどである。基地局１１４ａ、１１４ｂは、それぞれが単一の要素として示されているが、基地局１１４ａ、１１４ｂは、任意の数の相互接続された基地局および／またはネットワーク要素を含むことを理解されたい。
【００３４】
基地局１１４ａは、ＲＡＮ１０４の一部であり、ＲＡＮ１０４もまた、基地局コントローラ（ＢＳＣ）、無線ネットワークコントローラ（ＲＮＣ）、中継ノードなど、他の基地局および／またはネットワーク要素（図示せず）を含む。基地局１１４ａおよび／または基地局１１４ｂは、セル（図示せず）と呼ばれる特定の地理的領域内で無線信号を送信および／または受信するように構成される。さらに、セルは、セルセクタに分割される。たとえば、基地局１１４ａに関連付けられたセルは、３つのセクタに分割される。したがって、一実施形態では、基地局１１４ａは、３つのトランシーバ、すなわちセルの各セクタごとに１つのトランシーバを含む。他の実施形態では、基地局１１４ａは、多入力―多出力（ＭＩＭＯ）技術を使用し、したがって、セルの各セクタについて複数のトランシーバを使用する。
【００３５】
基地局１１４ａ、１１４ｂは、任意の好適な無線通信リンク（たとえば、無線周波数（ＲＦ）、マイクロ波、赤外（ＩＲ）、紫外（ＵＶ）、可視光など）であるエアインターフェース１１６上でＷＴＲＵ１０２ａ、１０２ｂ、１０２ｃ、１０２ｄの１または複数と通信する。エアインターフェース１１６は、任意の好適な無線アクセス技術（ＲＡＴ）を使用して確立される。
【００３６】
より具体的には、上記で指摘したように、通信システム１００は、多元接続システムであり、ＣＤＭＡ、ＴＤＭＡ、ＦＤＭＡ、ＯＦＤＭＡ、ＳＣ−ＦＤＭＡなど、１または複数のチャネルアクセス方式を使用する。たとえば、ＲＡＮ１０４内の基地局１１４ａ、およびＷＴＲＵ１０２ａ、１０２ｂ、１０２ｃは、広帯域ＣＤＭＡ（ＷＣＤＭＡ（登録商標））を使用してエアインターフェース１１６を確立するユニバーサル移動体通信システム（ＵＭＴＳ）地上波無線アクセス（ＵＴＲＡ）など無線技術を実装する。ＷＣＤＭＡは、高速パケットアクセス（ＨＳＰＡ）および／または進化型ＨＳＰＡ（ＨＳＰＡ＋）など、通信プロトコルを含む。ＨＳＰＡは、高速ダウンリンクパケットアクセス（ＨＳＤＰＡ）および／または高速アップリンクパケットアクセス（ＨＳＵＰＡ）を含む。
【００３７】
他の実施形態では、基地局１１４ａ、およびＷＴＲＵ１０２ａ、１０２ｂ、１０２ｃは、ロングタームエボリューション（ＬＴＥ）および／またはＬＴＥ−Ａｄｖａｎｃｅｄ（ＬＴＥ−Ａ）を使用してエアインターフェース１１６を確立する拡張ＵＭＴＳ地上波無線アクセスネットワーク（Ｅ−ＵＴＲＡＮ）など無線技術を実装する。
【００３８】
他の実施形態では、基地局１１４ａ、およびＷＴＲＵ１０２ａ、１０２ｂ、１０２ｃは、ＩＥＥＥ８０２．１６（すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００ＥＶ−ＤＯ、暫定標準２０００（ＩＳ−２０００）、暫定標準９５（ＩＳ−９５）、暫定標準８５６（ＩＳ−８５６）、グローバル移動体通信システム（ＧＳＭ（登録商標））、ＧＳＭエボリューション用の拡張データ転送速度（ＥＤＧＥ）、ＧＳＭ  ＥＤＧＥ（ＧＥＲＡＮ）など、無線技術を実装する。
【００３９】
図１Ａにおける基地局１１４ｂは、無線ルータ、ホームノードＢ、ホーム高度化ノードＢ（ｅＮｏｄｅ Ｂ）、またはアクセスポイントであり、たとえば、事業所、自宅、乗物、キャンパスなど、局所的な領域での無線コネクティビティを円滑にするための任意の好適なＲＡＴを使用する。一実施形態では、基地局１１４ｂ、およびＷＴＲＵ１０２ｃ、１０２ｄは、無線ローカルエリアネットワーク（ＷＬＡＮ）を確立するために、ＩＥＥＥ８０２．１１など無線技術を実装する。他の実施形態では、基地局１１４ｂ、およびＷＴＲＵ１０２ｃ、１０２ｄは、無線パーソナルエリアネットワーク（ＷＰＡＮ）を確立するために、ＩＥＥＥ８０２．１５など無線技術を実装する。他の実施形態では、基地局１１４ｂ、およびＷＴＲＵ１０２ｃ、１０２ｄは、ピコセルまたはフェムトセルを確立するために、セルラベースのＲＡＴ（たとえば、ＷＣＤＭＡ、ＣＤＭＡ２０００、ＧＳＭ、ＬＴＥ、ＬＴＥ−Ａなど）を使用する。図１Ａに示されているように、基地局１１４ｂは、インターネット１１０に対する直接接続を有する。したがって、基地局１１４ｂは、コアネットワーク１０６を介してインターネット１１０にアクセスすることが必要でない。
【００４０】
ＲＡＮ１０４は、コアネットワーク１０６と通信し、コアネットワーク１０６は、音声、データ、アプリケーション、および／またはボイスオーバーネットワーク（ＶｏＩＰ）サービスを、ＷＴＲＵ１０２ａ、１０２ｂ、１０２ｃ、１０２ｄの１または複数に提供するように構成された任意のタイプのネットワークである。たとえば、コアネットワーク１０６は、呼制御、支払い請求サービス、移動体位置をベースとするサービス、プリペイド呼、インターネットコネクティビティ、映像配信などを提供し、および／またはユーザ認証などハイレベルセキュリティ機能を実施する。図１Ａには示されていないが、ＲＡＮ１０４および／またはコアネットワーク１０６は、ＲＡＮ１０４と同じＲＡＴまたは異なるＲＡＴを使用する他のＲＡＮと直接または間接的に通信することを理解されたい。たとえば、Ｅ−ＵＴＲＡ無線技術を使用しているＲＡＮ１０４に接続されることに加えて、コアネットワーク１０６はまた、ＧＳＭ無線技術を使用する別のＲＡＮ（図示せず）と通信する。
【００４１】
また、コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働く。ＰＳＴＮ１０８は、基本電話サービス（ＰＯＴＳ）を提供する回線交換電話網を含む。インターネット１１０は、ＴＣＰ／ＩＰインターネットプロトコルスイートにおける伝送制御プロトコル（ＴＣＰ）、ユーザデータグラムプロトコル（ＵＤＰ）、インターネットプロトコル（ＩＰ）など、一般的な通信プロトコルを使用する相互接続されたコンピュータネットワークおよびデバイスのグローバルシステムを含む。ネットワーク１１２は、他のサービスプロバイダによって所有および／または運営される有線または無線通信ネットワークを含む。たとえば、ネットワーク１１２は、ＲＡＮ１０４と同じＲＡＴまたは異なるＲＡＴを使用する１または複数のＲＡＮに接続された別のコアネットワークを含む。
【００４２】
通信システム１００におけるＷＴＲＵ１０２ａ、１０２ｂ、１０２ｃ、１０２ｄの一部または全部がマルチモード機能を含む。すなわち、ＷＴＲＵ１０２ａ、１０２ｂ、１０２ｃ、１０２ｄは、異なる無線リンク上で異なる無線ネットワークと通信するために複数のトランシーバを含む。たとえば、図１Ａに示されているＷＴＲＵ１０２ｃは、セルラベースの無線技術を使用する基地局１１４ａと通信、およびＩＥＥＥ８０２無線技術を使用する基地局１１４ｂと通信するように構成される。
【００４３】
図１Ｂは、例示的なＷＴＲＵ１０２のシステム図である。図１Ｂに示されているように、ＷＴＲＵ１０２は、プロセッサ１１８、トランシーバ１２０、送信／受信エレメント１２２、スピーカ／マイクロフォン１２４、キーパッド１２６、ディスプレイ／タッチパッド１２８、非取外し式メモリ１３０、取外し式メモリ１３２、電源１３４、全世界測位システム（ＧＰＳ）チップセット１３６、および他の周辺機器１３８を含む。ＷＴＲＵ１０２は、一実施形態と一貫したまま前述の要素の任意のサブコンビネーションを含むことを理解されたい。
【００４４】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連付けられた１または複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などである。プロセッサ１１８は、信号符号化、データ処理、電力制御、入力／出力処理、および／またはＷＴＲＵ１０２が無線環境で動作することを可能にする任意の他の機能を実施する。プロセッサ１１８は、トランシーバ１２０に結合され、トランシーバ１２０は、送信／受信エレメント１２２に結合される。図１Ｂは、プロセッサ１１８とトランシーバ１２０を別個の構成要素として示しているが、プロセッサ１１８とトランシーバ１２０は、電子パッケージまたはチップ内で共に集積されてもよいことを理解されたい。
【００４５】
送信／受信エレメント１２２は、エアインターフェース１１６上で基地局（たとえば、基地局１１４ａ）に信号を送信する、または基地局から信号を受信するように構成される。たとえば、一実施形態では、送信／受信エレメント１２２は、ＲＦ信号を送信および／または受信するように構成されたアンテナである。他の実施形態では、送信／受信エレメント１２２は、たとえばＩＲ信号、ＵＶ信号、または可視光信号を送信および／または受信するように構成されたエミッタ／ディテクタである。他の実施形態では、送信／受信エレメント１２２は、ＲＦ信号と光信号を共に送信および受信するように構成される。送信／受信エレメント１２２は、任意の組合せの無線信号を送信および／または受信するように構成されることを理解されたい。
【００４６】
さらに、送信／受信エレメント１２２は、図１Ｂに単一のエレメントとして示されているが、ＷＴＲＵ１０２は、任意の数の送信／受信エレメント１２２を含む。より具体的には、ＷＴＲＵ１０２は、ＭＩＭＯ技術を使用する。したがって、一実施形態では、ＷＴＲＵ１０２は、エアインターフェース１１６上で無線信号を送信および受信するために２つ以上の送信／受信エレメント１２２（たとえば、複数のアンテナ）を含む。
【００４７】
トランシーバ１２０は、送信／受信エレメント１２２によって送信しようとする信号を変調するように、また送信／受信エレメント１２２によって受信される信号を復調するように構成される。上記で指摘したように、ＷＴＲＵ１０２は、マルチモード機能を有する。したがって、トランシーバ１２０は、たとえばＵＴＲＡおよびＩＥＥＥ８０２．１１など複数のＲＡＴを介してＷＴＲＵ１０２が通信することを可能にするために複数のトランシーバを含む。
【００４８】
ＷＴＲＵ１０２のプロセッサ１１８は、スピーカ／マイクロフォン１２４、キーパッド１２６、および／またはディスプレイ／タッチパッド１２８（たとえば、液晶ディスプレイ（ＬＣＤ）ディスプレイユニット、または有機発光ダイオード（ＯＬＥＤ）ディスプレイユニット）に結合され、それらからユーザ入力データを受け取る。また、プロセッサ１１８は、ユーザデータをスピーカ／マイクロフォン１２４、キーパッド１２６、および／またはディスプレイ／タッチパッド１２８に出力する。さらに、プロセッサ１１８は、非取外し式メモリ１３０および／または取外し式メモリ１３２など、任意のタイプの好適なメモリからの情報にアクセスし、それらにデータを記憶させる。非取外し式メモリ１３０は、ランダムアクセスメモリ（ＲＡＭ）、読出し専用メモリ（ＲＯＭ）、ハードディスク、または任意の他のタイプのメモリ記憶装置を含む。取外し式メモリ１３２は、加入者識別モジュール（ＳＩＭ）カード、メモリスティック、セキュアデジタル（ＳＤ）メモリカードなどを含む。他の実施形態では、プロセッサ１１８は、サーバ上または家庭用コンピュータ（図示せず）上など、物理的にＷＴＲＵ１０２上に位置しないメモリからの情報にアクセスし、それらにデータを記憶させる。
【００４９】
プロセッサ１１８は、電源１３４から電力を受け取り、ＷＴＲＵ１０２内の他の構成要素に電力を分配し、および／またはその電力を制御するように構成される。電源１３４は、ＷＴＲＵ１０２に給電するための任意の好適なデバイスである。たとえば、電源１３４は、１または複数の乾電池（たとえば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含む。
【００５０】
また、プロセッサ１１８は、ＷＴＲＵ１０２の現在位置に関する位置情報（たとえば、経度および緯度）を提供するように構成されるＧＰＳチップセット１３６に結合される。ＧＰＳチップセット１３６からの情報に加えて、またはその代わりに、ＷＴＲＵ１０２は、エアインターフェース１１６上で基地局（たとえば、基地局１１４ａ、１１４ｂ）から位置情報を受信し、および／または近くの２つ以上の基地局から受信される信号のタイミングに基づいてその位置を決定する。ＷＴＲＵ１０２は、一実施形態と一貫したまま任意の好適な位置決定方法により位置情報を獲得することを理解されたい。
【００５１】
さらに、プロセッサ１１８は他の周辺機器１３８に結合され、それらの周辺機器１３８は、追加の特徴、機能、および／または、有線もしくは無線コネクティビティを提供する１または複数のソフトウェアおよび／またはハードウェアモジュールを含む。たとえば、周辺機器１３８は、加速度計、電子コンパス（ｅ−ｃｏｍｐａｓｓ）、衛星トランシーバ、デジタルカメラ（写真またはビデオ用）、ユニバーサルシリアルバス（ＵＳＢ）ポート、振動デバイス、テレビトランシーバ、ハンドフリー用ヘッドセット、Ｂｌｕｅｔｏｏｔｈ（登録商標）モジュール、周波数変換（ＦＭ）無線ユニット、デジタル音楽プレーヤ、メディアプレーヤ、ビデオゲームプレーヤモジュール、インターネットブラウザなどを含む。
【００５２】
図１Ｃは、一実施形態によるＲＡＮ１０４およびコアネットワーク１０６のシステム図である。上記で指摘したように、ＲＡＮ１０４は、Ｅ−ＵＴＲＡ無線技術を使用し、エアインターフェース１１６上でＷＴＲＵ１０２ａ、１０２ｂ、１０２ｃと通信する。また、ＲＡＮ１０４は、コアネットワーク１０６と通信する。
【００５３】
ＲＡＮ１０４は高度化ノードＢ（ｅＮｏｄｅ Ｂ）１４０ａ、１４０ｂ、１４０ｃを含むが、ＲＡＮ１０４は、一実施形態と一貫したまま任意の数の高度化ノードＢを含むことを理解されたい。高度化ノードＢ１４０ａ、１４０ｂ、１４０ｃは、それぞれが、エアインターフェース１１６上でＷＴＲＵ１０２ａ、１０２ｂ、１０２ｃと通信するために１または複数のトランシーバを含む。一実施形態では、高度化ノードＢ１４０ａ、１４０ｂ、１４０ｃは、ＭＩＭＯ技術を実装する。したがって、たとえば高度化ノードＢ１４０ａは、複数のアンテナを使用し、ＷＴＲＵ１０２ａに無線信号を送信し、ＷＴＲＵ１０２ａから無線信号を受信してもよい。
【００５４】
高度化ノードＢ１４０ａ、１４０ｂ、１４０ｃのそれぞれは、特定のセル（図示せず）に関連付けられ、無線リソース管理判断、ハンドオーバ判断、アップリンクおよび／またはダウンリンクにおけるユーザのスケジューリングなどを処理するように構成される。図１Ｃに示されているように、高度化ノードＢ１４０ａ、１４０ｂ、１４０ｃは、Ｘ２インターフェース上で互いに通信する。
【００５５】
図１Ｃに示されているコアネットワーク１０６は、無線通信移動管理装置（ＭＭＥ）１４２、サービングゲートウェイ１４４、およびパケットデータネットワーク（ＰＤＮ）ゲートウェイ１４６を含む。前述の要素のそれぞれはコアネットワーク１０６の一部として示されているが、これらの要素のいずれか１つがコアネットワークオペレータ以外の企業体によって所有および／または運営されてもよいことを理解されたい。
【００５６】
ＭＭＥ１４２は、Ｓ１インターフェースを介してＲＡＮ１０４内の高度化ノードＢ１４０ａ、１４０ｂ、１４０ｃのそれぞれに接続され、制御ノードとして働く。たとえば、ＭＭＥ１４２は、ＷＴＲＵ１０２ａ、１０２ｂ、１０２ｃのユーザを認証すること、ベアラの活動化／非活動化、ＷＴＲＵ１０２ａ、１０２ｂ、１０２ｃの最初のアタッチ中に特定のサービングゲートウェイを選択することなどの責任を担う。また、ＭＭＥ１４２は、ＲＡＮ１０４と、ＧＳＭまたはＷＣＤＭＡなど他の無線技術を使用する他のＲＡＮ（図示せず）との間で切り替えるための制御プレーン機能を提供する。
【００５７】
サービングゲートウェイ１４４は、Ｓ１インターフェースを介してＲＡＮ１０４内の高度化ノードＢ１４０ａ、１４０ｂ、１４０ｃのそれぞれに接続される。サービングゲートウェイ１４４は、一般に、ユーザデータパケットをＷＴＲＵ１０２ａ、１０２ｂ、１０２ｃに／ＷＴＲＵ１０２ａ、１０２ｂ、１０２ｃからルーティングおよび転送する。また、サービングゲートウェイ１４４は、高度化ノードＢ間（ｉｎｔｅｒ−ｅＮｏｄｅ Ｂ）ハンドオーバの間じゅうずっとユーザプレーンをアンカリングすること、ＷＴＲＵ１０２ａ、１０２ｂ、１０２ｃにダウンリンクデータが使用可能であるときページングをトリガすること、およびＷＴＲＵ１０２ａ、１０２ｂ、１０２ｃのコンテキストを管理および記憶することなど、他の機能を実施する。
【００５８】
また、サービングゲートウェイ１４４はＰＤＮゲートウェイ１４６に接続され、ＰＤＮゲートウェイ１４６は、ＷＴＲＵ１０２ａ、１０２ｂ、１０２ｃがインターネット１１０などパケット交換ネットワークにアクセスすることを提供し、ＷＴＲＵ１０２ａ、１０２ｂ、１０２ｃとＩＰ対応デバイスの間の通信を円滑にする。
【００５９】
コアネットワーク１０６は、他のネットワークとの通信を円滑にする。たとえば、コアネットワーク１０６は、ＷＴＲＵ１０２ａ、１０２ｂ、１０２ｃがＰＳＴＮ１０８など回線交換ネットワークにアクセスすることを提供し、ＷＴＲＵ１０２ａ、１０２ｂ、１０２ｃと従来の陸線通信デバイスとの間の通信を円滑にする。たとえば、コアネットワーク１０６は、コアネットワーク１０６とＰＳＴＮ１０８との間のインターフェースとして働くＩＰゲートウェイ（たとえば、ＩＰマルチメディアサブシステム（ＩＭＳ）サーバ）を含み、またはＩＰゲートウェイと通信する。さらに、コアネットワーク１０６は、他のサービスプロバイダによって所有および／または運営される他の有線もしくは無線ネットワークを含むネットワーク１１２に、ＷＴＲＵ１０２ａ、１０２ｂ、１０２ｃがアクセスすることを提供する。
【００６０】
いくつかの例示的な方法では、リレー（たとえば、ＬＴＥリレー）は、ＬＴＥおよびＬＴＥ−Ａにおいて、たとえば（１）リレーバックホールチャネル条件、および／または（２）リレーノード（ＲＮ）タイミング条件（たとえば、要件および他の条件）を考慮することによって、ＤＬシングルユーザＭＩＭＯ（ＳＵ−ＭＩＭＯ）および／またはマルチユーザＭＩＭＯ（ＭＵ−ＭＩＭＯ）を使用して改善される。たとえば、リレーＳＵ−ＭＩＭＯおよびＤＭＲＳ拡張機能は、（１）時間領域における既存および／または新規の直交カバーコード（ＯＣＣ）（たとえば１つのサブキャリア上でのＯＣＣ）に対する拡張機能、（２）周波数領域における既存および／または新規のＯＣＣ（たとえば１つのＯＦＤＭシンボル上でのＯＣＣ）に対する拡張機能、および／または（３）たとえば時間領域および／または周波数領域において割り当てられるリソース要素（Ｒｅｓ）を削減することによってＤＭＲＳオーバーヘッドに対する低減を含む。
【００６１】
実施形態は、リレーＭＵ−ＭＩＭＯ拡張機能が、（１）周波数領域および／または時間領域においてＲＮデータチャネルのためのＭＵ−ＭＩＭＯレイヤを増大すること、（２）ＭＵ−ＭＩＭＯをＲＮ制御チャネルに適用すること、および（３）リレーノード（ＲＮ）とマクロＵＥ（ｍＵＥ）との間またはそれらの中で、ＭＵ−ＭＩＭＯを適用することを含むことを企図する。
【００６２】
いくつかの例示的な実施形態では、増大されたＭＩＭＯレイヤは、レイヤ１（Ｌ１）と、レイヤ２および／３（Ｌ２／３）とを使用して実装される。図２は、リレーを含む例示的な通信システムを示す図である。
【００６３】
いくつかの例示的な実施形態では、タイプ１リレーが、ＬＴＥリリース１０（Ｒｅｌ−１０）通信システムなどの通信システム内に含まれる。タイプ１リレーは、マクロセル（たとえば、ｅＮＢまたはＤｅＮＢ）から区別可能かつ分離される１または複数の新しいセルを生み出す。どのレガシーリリース８（Ｒｅｌ−８）ＵＥにとっても、タイプ１リレーは、ｅＮＢとして見える（たとえば、タイプ１リレーの存在は、ＵＥにとって透過的なものである）。タイプ１ＲＮは、そのようなＵＥにとって、たとえば、ＤｅＮＢ（たとえば、アクセスリンク（Ｕｕ）と同じスペクトル割当て内でＬＴＥまたはＬＴＥ−Ａエアインターフェースを使用して）に対する無線インバンドバックホールリンク（Ｕｎ）を有するｅＮＢである。
【００６４】
図２を参照すると、いくつかの例示的な実施形態では、インバンド自己干渉（リレーの送信がリレーの受信と干渉すること）により、タイプ１リレーノードは、アクセスリンクとバックホールリンクとの間で共用されるＤＬ周波数チャネルにおいてバックホールリンク（Ｕｎ）上でｅＮＢまたはＤｅＮＢから受信しながらアクセスリンク（Ｕｕ）上でＵＥに同時に送信すること、またはアクセスリンクとバックホールリンクとの間で共用されるＵＬ周波数チャネルにおいてＤｅＮＢに送信しながらアクセスリンク上でＵＥから同時に受信することは可能でない。
【００６５】
同じダウンリンク周波数チャネル上でのバックホール通信とアクセス通信の両方に対処するために、時分割多重化（ＴＤＭ）を使用して、これらの接続間でサブフレームが共用される。第１の例として、サブフレームがバックホールダウンリンクに割り当てられる場合、そのサブフレームはアクセスダウンリンクに使用されず、サブフレームがアクセスダウンリンクに割り当てられる場合、そのサブフレームはバックホールダウンリンクに使用されない。第２の例として、サブフレームがバックホールアップリンクに割り当てられる場合、そのサブフレームはアクセスアップリンクに使用されず、サブフレームがアクセスアップリンクに割り当てられる場合、そのサブフレームはバックホールアップリンクに使用されない。
【００６６】
図３Ａ、図３Ｂ、および図３Ｃは、リレー通信に関連するタイミングオフセットおよび伝播を示すタイミング図である。図３Ａ、図３Ｂ、および図３Ｃを参照して、ＲＮとｅＮＢまたはＤｅＮＢとの間のＤＬタイミングに基づいて、リレー実装について考察する。ここで、ＲＮは、ｍ番のＯＦＤＭシンボルから開始してＵｎ  ＤＬ送信を受信することができ、ｎ番のＯＦＤＭシンボルで受信を停止することができ、サブフレーム内のＯＦＤＭシンボルの採番は０で始まり、ｋは、ＲＮアクセスでＬ１／Ｌ２制御領域に使用されるＯＦＤＭシンボルの数に等しい。
【００６７】
一例（例１（Ｅ１）と称する）では、ＲＮとＤｅＮＢとの間のＤＬタイミングは、ＲＮがＤＬバックホールサブフレームを、ＯＦＤＭシンボルｍ＝ｋ＋１から開始してサブフレームの終点（たとえば、通常の巡回プレフィックス（ＣＰ）についてｎ＝１３、または拡張ＣＰについてｎ＝１２）まで受信することができることを含む。Ｅ１は、ＲＮ切換え時間がＣＰより長く（たとえば、ＲＮ切換え時間がＣＰより大きく）、ＲＮ  ＤＬアクセス送信時間がＲＮでのＤＬバックホール受信時間に対してオフセットされる（たとえば、わずかにオフセットされる）ときに対応する。図３Ａは、Ｅ１に対応し、マクロサブフレームとリレーサブフレームとの間の伝播遅延（Ｔｐ）に加えて、固定されたタイミングオフセット（Ｔｏ）を含む。
【００６８】
第２の例（Ｅ２と称する）では、ＲＮとＤｅＮＢとの間のＤＬタイミングは、ＲＮがＤＬバックホールサブフレームを、ＯＦＤＭシンボルｍ＝ｋから開始してサブフレームの終点（たとえば、通常の巡回プレフィックス（ＣＰ）についてｎ＝１３、または拡張ＣＰについてｎ＝１２）まで受信することができることを含む。Ｅ２は、ＲＮ切換え時間がＣＰより短く（たとえば、十分に短く）、ＲＮ  ＤＬアクセス送信時間がＲＮでのＤＬバックホール受信時間に合わせされるときに対応する。図３Ｂは、ｅＮＢ  ＤＬ送信（ＴＸ）タイミングがＲＮ  ＤＬ  ＴＸタイミングに合わせされる場合のＥ２に対応し、（その結果、たとえば、（Ｔｐ＜Ｌ）、（Ｔｐ＜Ｇ１）、および（Ｔｐ＋Ｇ２＜Ｌ）、ただしｓｙｍｂｏｌ＿ｌｅｎｇｔｈ＝Ｌ）であり、これは「小伝播遅延」と呼ばれる。
【００６９】
第３の例（Ｅ３と称する）では、ＲＮとＤｅＮＢとの間のＤＬタイミングは、ＲＮがＤＬバックホールサブフレームを、ＯＦＤＭシンボルｍ＞ｋから開始して（たとえば伝播遅延および切換え時間に応じて）ＯＦＤＭシンボルｎ＜１３まで受信することができることを含む。これは、ＲＮ  ＤＬ  Ｕｕ送信がｅＮＢ  ＤＬ送信と同期されるときのケースに対応する。図３Ｃは、ｅＮＢ  ＤＬ  ＴＸタイミングがＲＮ  ＤＬ  ＴＸタイミングに合わせされる場合のＥ３に対応し、（その結果、たとえば、（Ｇ１＜Ｔｐ＜Ｌ）および（Ｔｐ＋Ｇ２＜Ｌ）であり、これは「中伝播遅延」と呼ばれる）。
【００７０】
第４の例（Ｅ４と称する）では、ＲＮとＤｅＮＢとの間のＤＬタイミングは、ＲＮがＤＬバックホールサブフレームを、ＯＦＤＭシンボル０から開始してＯＦＤＭシンボルｎ＝１３−（ｋ＋１）まで受信することができることを含む。これは、たとえば、ＲＮが通常のＰＤＣＣＨを受信することができるときのケースに対応する。
【００７１】
実施形態は、１または複数のリレーＤＬスロット構造およびＤＭＲＳ（ＤＲＳ）シンボルを企図する。表１は、第１のスロット（たとえば、通常のＣＰおよびΔｆ＝１５ｋＨｚの場合）における例示的なｅＮＢ-to-ＲＮ送信のためのＯＦＤＭシンボルの位置を示し、表２は、第２のスロット（たとえば、通常のＣＰおよびΔｆ＝１５ｋＨｚの場合）における例示的なｅＮＢ-to-ＲＮ送信のためのＯＦＤＭシンボルを示す。Ｅ１およびＥ３のＤＬタイミングに対応するＤＬスロット構造は、ｅＮＢ-to-ＲＮ送信がスロット内でＯＦＤＭシンボルのサブセットに制限されることを含む。開始ＯＦＤＭシンボルおよび終了ＯＦＤＭシンボルは、実施形態にそれぞれ与えられているようなものとされ、実施形態は、１または複数のリレーＤＬスロット構造およびＤＭＲＳ（ＤＲＳ）シンボルを企図する。表１はサブフレームの第１のスロットについてのものであり、表２はサブフレームの第２のスロットについてのものである。実施形態におけるパラメータＤＬ−ＳｔａｒｔＳｙｍｂｏｌは、１または複数のリレーＤＬスロット構造およびＤＭＲＳ（ＤＲＳ）シンボルを企図する。表１は、とりわけネットワークおよび／またはアプリケーションレイヤなど、より高次のレイヤによって構成される。ダウンリンクサブフレームがｅＮＢ（たとえば、ドナーｅＮＢ）およびＲＮ（たとえば、Ｅ３タイミング）によって時間調整されたサブフレーム境界で送信される場合、表２の構成１が使用され、そうでない場合には、構成０が使用される。実施形態における構成０の同時動作は、１または複数のリレーＤＬスロット構造およびＤＭＲＳ（ＤＲＳ）シンボルを企図する。表１および表２における構成０は、サポートされなくてもよい。表１および表２は以下の通りである。
【００７２】
【表１】
2014529226.tif 000003
【００７３】
【表２】
2014529226.tif 000004
【００７４】
アンテナポート７、８、９、１０の基準信号シーケンスは、表２における構成１が使用されるとき、ｅＮＢ-to-ＲＮ送信に使用されるＰＲＢ対の第１のスロット内でリソース要素にマッピングされる（たとえば、マッピングされるにすぎない）。そのような構成の一例は、サブフレームの最後のＯＦＤＭシンボルがＲＮにとって使用可能でないＥ３のＤＬタイミングである。ＤＭＲＳシンボルの位置が、Ｅ１に対応する図４Ａ、およびＥ３に対応する図４Ｂに示されている。図４Ｂでは、ＤＭＲＳがサブフレームのスロット１内に位置するようにＤＭＲＳの位置の数が削減される（たとえば、サブフレームのスロット１内（また、いくつかの実施形態では、おそらくはサブフレームのスロット１内のみ）に位置するが、サブフレームのスロット２内に位置しない）。
【００７５】
アンテナポート１１ないし１４はＲｅｌ−１０におけるｅＮＢ-to-ＲＮ送信に使用されないので、４つまでのレイヤ（および、おそらくは４つまでのレイヤだけ）がＵｎ  ＤＬデータでサポートされる。実施形態は、Ｒｅｌ−１０リレーが無線バックホールと共にｅＮＢとして導入されていると認識している。したがって、現行のリリース、リリース１１、およびそれ以降（たとえば、Ｒｅｌ−１１＋リレー）について、ある種の最適化および／または改善が可能であることが企図されている。たとえば、実施形態は、リレーバックホールのためのＭＩＭＯ機能が、たとえばスループットを改善するために改訂／更新されることを企図する。
【００７６】
リレーのバックホールチャネル（たとえば、リンク）は、ＵＥのものと異なってもよい。たとえば、（おそらくは）Ｒｅｌ−１０（だけ）では、固定されたリレーが考慮されており、たとえば、一旦リレー位置が決定されＤｅＮＢに接続されると、移動もせず、別のＤｅＮＢにハンドオーバされることもない。システムオペレータは、Ｒｅｌ−１０リレーを、関心のエリア内の指定されたＤｅＮＢに向かってチャネル条件の比較的良好な位置で配置することによって、初期のリレー配備を最適化する。このプロセスは、一般に、リレーサイト計画と呼ばれる。このリレーサイト計画により、リレーバックホールのための見通し線（ＬＯＳ）チャネル条件の確率が、通常のＵＥのものよりかなり高くなる。Ｒｅｌ−１１＋リレーは移動可能であり、リレーサイト計画は、Ｒｅｌ−１１およびそれを越えては適用されない）。
【００７７】
リレーとＵＥとの他の違いは、リレーバックホールのためのアンテナ構成の選択肢の１つが、ＤｅＮＢに向けられた指向性アンテナを使用し、および／またはリレーに使用されるＲＦ構成要素が、ＵＥに使用されるものに比べてコスト、フォームファクタ、および／または電力消費の点でより制限が少ないことである。そのような要素および固定されたリレーのためのリレーサイト計画により、リレーバックホールチャネルは、典型的なＵＥのチャネルより信頼性が高いものになる可能性が高い。しかし、リレーバックホールのチャネルダイバシティは、たとえばＬＯＳのより高い確率のために、ＵＥのものより低くなる。
【００７８】
実施形態は、リレーバックホールのチャネル条件がＵＥのものよりかなり異なると認識している。実際、Ｒｅｌ−１０フレームワーク内のＭＩＭＯ技法は、典型的なＵＥ移動パターンおよびチャネル条件に合わせて設計された。実施形態は、Ｒｅｌ−１１＋リレー、およびそれらがサービスを提供するＵＥについてより良好な性能および／またはスループットを達成するために、そのような技法が、リレーバックホールのために最適化および修正されることを企図する。これらの改善は、それだけには限らないがとりわけ、ＤＭＲＳ構造を設計および／または改訂すること、ＭＩＭＯについてシグナリングオーバーヘッドを低減すること、ＭＵ／ＳＵ−ＭＩＭＯを改善すること、および／またはＭＩＭＯを制御チャネルに適用することを含む。
【００７９】
ＤＭＲＳ構造がタイプ１リレーに関連して示されているが、これらの構造は、とりわけリレータイプ１ａおよびリレータイプ１ｂなど、他のタイプのリレーと共に使用されてもよいことが企図されている。
【００８０】
実施形態は、ＵＥがチャネルインパルス応答を推定し受信信号におけるチャネル歪みを補償するのを助けるためにタイムスロット内で十分に定義されたＯＦＤＭシンボル位置で送信されたシンボルを、基準信号が含むことを企図する。いくつかの実施形態では、ダウンリンクアンテナポート当たり１つの送信される信号があり、１つのアンテナポートが基準信号を送信しているとき他のポートが休止しているように、一意のシンボル位置がアンテナポートに割り当てられる。基準信号（ＲＳ）は、物理チャネルのインパルス応答を決定するために使用される。
【００８１】
実施形態は、ＤＭＲＳ（またはＤＲＳ）構造変化を企図する。図５Ａないし図５Ｆは、いくつかの例示的な実施形態による図３Ａないし図３Ｃの異なるダウンリンク（ＤＬ）タイミングオフセットおよび伝播に関連する復調基準信号（ＤＭＲＳまたはＤＲＳ）位置を示す他の例示的なタイムスロット図である。
【００８２】
ＤＭＲＳシンボルは、元々、ＵＥのために、それらの典型的な移動パターンおよびチャネル条件を考慮して設計された。実施形態は、リレーバックホールチャネル条件が、ＤＭＲＳが元々設計された対象としてのＵＥとｅＮＢとの間のチャネルよりかなり良好であり、したがってＤＭＲＳがこのチャネル条件に対してさらに最適化されることを企図する。Ｅ３におけるタイミングなどいくつかのシナリオでは、サブフレームの最後のＯＦＤＭシンボルおよびその対応するＤＭＲＳシンボルが、リレータイミング配置によりリレーにとって使用可能でない。これは、リレーバックホール（たとえば、Ｒｅｌ−１０について４つまでのレイヤしかサポートされない）のためのＭＩＭＯ動作モードに対する制限をもたらし、これはチャネルダイバシティがより高い場合の移動リレーにとって制限となる。実施形態は、より多数のレイヤが使用される可能性があることを企図する。さらに、レイヤの数は、固定されたリレーおよび／または移動リレーについてＭＵ−ＭＩＭＯの性能に影響を及ぼす。
【００８３】
リレーバックホール接続のためのＤＭＲＳ関連の拡張は、とりわけ（１）サポートされるレイヤの数の増大、（２）ＤＭＲＳ  ＯＣＣ設計および／またはシンボルマッピングの改善、および／または（３）ＤＭＲＳオーバーヘッドの低減を含むことが企図されている。
【００８４】
実施形態は、時間領域における直交カバーコード（ＯＣＣ）を企図する。Ｅ３では、第２のタイムスロット内の最後のＯＦＤＭシンボルが遅延のためにリレーにとって使用可能でないので、第２のタイムスロット内の最後の２つのＯＦＤＭシンボルがＤＭＲＳを含まない。第２のタイムスロット内の最後のシンボルより前のＯＦＤＭシンボルは、リレーにとって使用可能であり、ＤＭＲＳマッピングに使用される。図５Ａに示されているように、３つのＯＦＤＭシンボルがサブフレームにおいてＤＭＲＳマッピングに使用可能であり、このマッピングでは、ＤＭＲＳグループが、タイムスロット１においてＯＦＤＭシンボル６および７に位置し、タイムスロット２においてＯＦＤＭシンボル６に位置する。１つのＤＭＲＳグループは、サブキャリア０、５、１０で（たとえば、５つのサブキャリアの巡回シフトで）送信され、第２のＤＭＲＳグループは、サブキャリア１、６、１１で（たとえば、同じ巡回シフト、および１つのサブキャリアのオフセットで）送信される。例として、これらの３つのシンボル（たとえば、１または複数の実施形態では、おそらくはＰＲＢ当たりのサブキャリア当たり３つまでのリソース要素（ＲＥ））を利用するために、３の長さを有する新しい時間領域ＯＣＣが使用されてもよい。いくつかの例示的な実施形態では、表３に示されているように、いくつかの、または各ＯＣＣシーケンスが互いに直交するＤＦＴシーケンスが使用される。
【００８５】
【表３】
2014529226.tif 000005
【００８６】
いくつかのまたは各ＤＭＲＳグループは、特定のレイヤに関連付けられ、特定のチャネルに関連するチャネル推定に使用される。たとえば、いくつかのまたは各ＤＭＲＳグループは、チャネル推定を可能にするように他のアンテナまたはアンテナグループが休止（ｓｉｌｅｎｔ）している間に送信される。たとえば３つのシンボルに関連付けられたＯＣＣシーケンスを使用することによって、いくつかのまたは各ＤＭＲＳグループは３つまでのレイヤをサポートすることができ、ＤＬ  ＭＩＭＯについて、合計で６つまでのレイヤをサポートすることができる。図５Ａに関連するＤＭＲＳシンボルの位置は、Ｒｅｌ−１０フレームワーク内で定義されたもののサブセットであってもよい。ＭＵ−ＭＩＭＯの場合、複数の（たとえば、３つまでの）ユーザがサポートされる。
【００８７】
実施形態は、周波数領域における直交カバーコード（ＯＣＣ）を企図する。Ｒｅｌ−１０フレームワークでは、ＯＣＣは、サブキャリア間で（おそらくはかなり）異なるＵＥとｅＮＢとの間のチャネル条件（たとえば、チャネルは周波数選択性（たとえば、強い周波数選択性）である）により、同じサブキャリアに適用される（たとえば、ＯＣＣは時間領域で拡散される）。そのようなチャネル変動は、ＯＣＣの直交性を低下させる（たとえば、事実上低下させる）。各リソースブロック（ＲＢ）内の各サブキャリアは、ＤＭＲＳについて４つまでのリソース要素（ＲＥ）を有するので、たとえば４の長さを有するＯＣＣ（たとえば、いくつかの実施形態では、ＯＣＣだけ）がサポートされる。
【００８８】
固定されたリレーに関して、バックホールチャネルは、ＵＥおよび移動リレーのものに比べてそれほど周波数選択性でなく、ＯＣＣは、たとえばＲｅｌ−１０フレームワークで実装されているようなサブフレーム内の同じサブキャリアではなく異なるサブキャリアにわたって、移動リレーのバックホールチャネルにおいて実装される。この方法は、以下の手法、すなわち（１）各ＤＭＲＳグループ用に指定されたＲＥが１または複数のＯＦＤＭシンボルに位置する、および／または（２）各ＤＭＲＳグループ用に指定されたＲＥが１または複数のサブキャリアに位置する、のいずれかまたは組合せを使用して実装することができる。
【００８９】
図５Ｂは、Ｒｅｌ−１０フレームワークのＤＭＲＳ  ＲＥ位置が再使用され、各ＯＦＤＭシンボル内のＲＥ（たとえば、いくつかの、またはすべてのＲＥ）が同じＤＭＲＳグループに割り当てられる例示的なタイムスロット図を示す。図５Ｂでは、ＯＣＣは、周波数領域において６の長さを有し、この場合、各ＯＦＤＭシンボル内の６つのＲＥが同じＤＭＲＳグループに割り当てられる。
【００９０】
Ｅ３のＤＬタイミングについて、最後のＯＦＤＭシンボルは使用可能でなく、そのＯＦＤＭシンボルにＤＭＲＳが割り当てられないことが企図されている。この場合、第２のタイムスロット内のＤＭＲＳグループ１は、割り当てられても割り当てられなくてもよい。理由の中でもとりわけ、ＯＦＤＭシンボル当たり６つのＲＥを利用するために、実施形態は、６の長さを有する周波数領域ＯＣＣが使用されることを企図する。いくつかの例示的な実施形態では、各ＯＣＣシーケンスが互いに直交する、表４に示されているＤＦＴシーケンスが使用される。
【００９１】
【表４】
2014529226.tif 000006
【００９２】
長さ６のＯＣＣを使用することによって、各ＤＭＲＳグループは、複数のレイヤ（たとえば、６つまでのレイヤ）をサポートする。長さ３および６のＯＣＣが示されているが、他の長さもまた企図されている（たとえば、ＯＦＤＭシンボルについてのＤＭＲＳグループに使用される搬送波の数に長さが等しいとき）。
【００９３】
ＭＵ−ＭＩＭＯに関して、これは６つまでのユーザをサポートすることになる。ＤＭＲＳシンボルの位置は、Ｒｅｌ−１０フレームワーク内で定義されたもののサブセットであることが企図されている。
【００９４】
リレーバックホールチャネル条件はより良好であると予想されるが、（たとえば、固定されたリレーおよび移動リレーの両方について）通常のＵＥのものほど周波数選択性でない。固定されたリレーの場合、チャネル条件は、ＵＥのものよりはるかに良好である。いくつかの例示的な実施形態では、Ｒｅｌ−１０におけるＤＭＲＳに割り当てられるＲＥのサブセット（いくつかの実施形態では、おそらくはその一部分だけ）でＯＣＣを送信することによって、ＤＭＲＳに割り当てられるＲＥの数を削減し、ＤＭＲＳオーバーヘッドを低減してもよい。ＤＭＲＳに割り当てられるＤＭＲＳの削減は、Ｅ１およびＥ３のＤＬタイミングに適用されてもよく、また様々な例示的な方法と共に使用されてもよい。
【００９５】
実施形態は、縮小されたサブキャリアマッピングを企図する。Ｒｅｌ−１０  ＲＢにおけるおよび／またはＲｅｌ−１１＋におけるＤＭＲＳを含む１または複数のサブキャリアは、ＤＭＲＳ  ＲＥを担持せず、その代わりに制御シグナリングおよび／またはデータ送信に使用（または再使用）される。例として、図５Ｃは、ＲＢ内の最後の２つのサブキャリアがＤＭＲＳ  ＲＥを（たとえば、どのようなＤＭＲＳ  ＲＥをも）含まない縮小されたＤＭＲＳ  ＲＥを示す。図５Ｃでは、ＤＭＲＳオーバーヘッド低減は、ＯＣＣが時間領域で（たとえば、第１のタイムスロットおよび第２のタイムスロット内の連続するシンボルで）送信され、一方、ＤＭＲＳを送信するサブキャリアの数を削減して（たとえば、最後の２つのサブキャリアがＤＭＲＳ  ＲＥを含まない）行われる。
【００９６】
縮小されたサブキャリアマッピングは、周波数領域ＯＣＣに適用され、その場合、ＤＭＲＳシンボルがサブキャリアのいくつかにおいて送信されず、それにより周波数領域ＯＣＣがより短くなる。その場合、ＤＭＲＳが除去されたものについてのＲＥ（たとえば、未使用のＲＥ）は、制御シグナリングおよび／またはデータ送信に再使用される。例として、図５Ｄは、第２のタイムスロットのＲＢ内の最後の２つのサブキャリアがＤＭＲＳ  ＲＥを（たとえば、どのようなＤＭＲＳ  ＲＥをも）含まない縮小された周波数領域ＤＭＲＳ  ＲＥを示す。図５Ｄでは、ＤＭＲＳオーバーヘッド低減は、時間領域および周波数領域の両方において、ＯＣＣが時間領域で（たとえば、第１のタイムスロットだけにおける連続するシンボルで）送信され、一方、ＤＭＲＳを送信するサブキャリアの数を削減して（たとえば、最後の２つのサブキャリアがＤＭＲＳ  ＲＥを含まない）行われる。この例では、最後の２つのサブキャリアがもはやＤＭＲＳを含まず、長さ４のＯＣＣが使用される。
【００９７】
実施形態は、縮小されたＯＦＤＭシンボルマッピングを企図する。図５Ｅは、ＤＭＲＳ  ＲＥが最後の２つのサブキャリア内に位置しないことを除いて、図５Ｂのものと同様の例示的なタイムスロット図を示す。たとえば、各ＯＦＤＭシンボル内のＤＭＲＳ  ＲＥは、同じＤＭＲＳグループ（たとえば、グループ１またはグループ２）に割り当てられ、ＤＭＲＳ  ＲＥを有するサブキャリアの数は、図５Ｂにおけるシンボル当たり６つではなくシンボル当たり４つである。図５Ｅでは、ＯＣＣは、周波数領域において４の長さを有し、この場合、各ＯＦＤＭシンボル内の４つのＲＥが同じＤＭＲＳグループに割り当てられる。
【００９８】
図５Ｆは、ＤＭＲＳ  ＲＥが第２のタイムスロット内に位置しないことを除いて、図５Ｂのものと同様の例示的なタイムスロット図を示す。たとえば、各ＯＦＤＭシンボル内のＤＭＲＳ  ＲＥは、同じＤＭＲＳグループ（たとえば、グループ１またはグループ２）に割り当てられ、ＤＭＲＳ  ＲＥを有するサブキャリアの数は、図５Ｂに示されているようにシンボル当たり６つである。図５Ｆでは、ＯＣＣは、周波数領域において６の長さを有し、この場合、各ＯＦＤＭシンボル内の６つのＲＥが同じＤＭＲＳグループに割り当てられる。
【００９９】
たとえば、Ｒｅｌ−１０におけるＤＭＲＳ  ＲＥを含む１または複数のＯＦＤＭシンボルは、もはやＤＭＲＳ  ＲＥを担持しない。その代わりに、それらのＲＥは、制御シグナリングおよび／またはデータ送信に再使用される。これは、最後の２つのＯＦＤＭシンボルがもはやＤＭＲＳを含まず、６の長さを有するＯＣＣが使用される図５Ｆに示されている。
【０１００】
実施形態は、マルチユーザＭＩＭＯ（ＭＵ−ＭＩＭＯ）を企図する。実施形態は、リレーバックホールチャネルがＵＥのもの（たとえば、より高いＳＩＮＲを有する）より良好（たとえば、おそらくはかなり良好）であると認識している。いくつかの例示的な実施形態では、方法がＳＵ−ＭＩＭＯ多重化利得を使用し、そのような高いＳＩＮＲを利用する。いくつかの例示的な実施形態では、他の方法が、おそらくはチャネル条件が閾値レベルより高い（たとえば、ＳＩＮＲが強いチャネル条件を精製する閾値を超える。）ときＭＵ−ＭＩＭＯを適用する。ＭＵ−ＭＩＭＯのための現行のＲｅｌ−１０フレームワークは、４つまでのレイヤをサポート（たとえば、サポートするにすぎない）し、この場合、最初の２つのレイヤが直交する（いくつかの実施形態では、おそらくは最初の２つのレイヤだけ）。Ｒｅｌ−１０フレームワークでは、ＵＥのためのロバストな制御チャネルの使用により、ＭＵ−ＭＩＭＯは制御チャネルに使用されない。しかし、リレーバックホールのためのチャネル条件は、これらの条件に一致し、またはそれを超えており、したがってすでに強いものである。制御チャネルにＭＵ−ＭＩＭＯを使用するために余剰のマージンがある可能性があり、これは制御チャネルによって占有されるリソースを削減する。いくつかの例示的な実施形態では、リレーバックホールリソースが制御チャネルとデータチャネルとの間で共用される。制御チャネルのためのリソース割当てを削減することは、データチャネルについてのより高い容量、およびより高いシステムスループットをもたらす（たとえば、最終的にもたらす）。
【０１０１】
実施形態は、リレー制御チャネルと他のリレーおよび／またはＵＥデータチャネルとの間でのＭＵ−ＭＩＭＯの使用が有用である可能性があることを企図する。リレーバックホール接続は、ＭＵ−ＭＩＭＯによって向上し、（１）サポートされるレイヤの数および／または直交するレイヤの数を改善し、（２）ＲＮ制御チャネルにＭＵ−ＭＩＭＯを使用し、および／または（３）ＲＮとマクロＵＥとの間でＭＵ−ＭＩＭＯを使用する。
【０１０２】
実施形態は、ＲＮデータチャネルのためのＭＵ−ＭＩＭＯレイヤの増大を企図する。いくつかのＤＭＲＳ  ＲＥ構成が図５Ａないし図５Ｆに示されている。いくつかの例示的な実施形態では、３ないし６の長さでＯＣＣが使用される。これらの構成を使用することによって、ＤＭＲＳグループ当たり３つないし６つの直交するレイヤにそれぞれ到達する。ＭＵ−ＭＩＭＯスクランブリング法に基づいて、ＭＵ−ＭＩＭＯデータチャネルレイヤの総数がＲｅｌ−１０フレームワークのものから２倍にされる。
【０１０３】
実施形態は、ＲＮ制御チャネルのためのＭＵ−ＭＩＭＯレイヤを企図する。ＭＵ−ＭＩＭＯをリレー制御チャネルに使用するために、制御チャネルの実際の送信前に、構成情報がリレーに通信される。これは、データチャネルＭＵ−ＭＩＭＯのために用意されたプロセスに対応し（たとえば、それと同様であるかまたはそれと等価である）、この場合、実際のデータチャネル送信の前に何らかの構成が制御チャネルを介してＵＥに通信される。制御チャネルのために使用されるＭＵ−ＭＩＭＯ構成情報は、それだけには限らないがとりわけ、（１）基準信号アンテナポート、（２）ＯＣＣインデックス、（３）レイヤの数、（４）基準信号を生成するために使用される基準信号スクランブリングシーケンス、および／または（５）ＰＭＩ情報を含む。
【０１０４】
実施形態は、これらのパラメータのいくつか（またはすべて）が以下の方法の１つまたは組合せを使用してＲＮで設定および／または決定されることを企図する。すなわち、とりわけ（１）デフォルト値に設定される、（２）ＲＮ特有のメッセージおよび／または構成パラメータ（たとえば、ＤｅＮＢは、ＲＮ（たとえば、すべてのＲＮ）を２つ以上のグループに分割し、各グループは、パラメータの特定のセット、たとえばアンテナポートに基づいて制御チャネルを受信するように構成される）としてＲＮによって受信される、（３）ブラインド復号によってＲＮで決定される、および／または（４）ＰＤＳＣＨ送信（たとえば、おそらくは最後のＰＤＳＣＨ送信）のために設定されるものと同じものとして設定または決定される。例として、スクランブリングシーケンスシード（たとえば、ｎＳＣＩＤ）は、０および２つのアンテナポートだけ（ポート７およびポート８がサポートされる）と仮定される（たとえば、２つのＲＮのサポートに対応する２つの可能なＯＣＣだけ）。この場合、アンテナポートは事前に指定されず、ＲＮは、両ＯＣＣについてブラインド復号を使用し、次いでより高いＳＩＮＲを有するものを選択する。
【０１０５】
実施形態は、ＲＮとマクロＵＥ（ｍＵＥ）との間のＭＵ−ＭＩＭＯを企図する。ＲＮ間またはＲＮとｍＵＥとの間でＭＵ−ＭＩＭＯを適用するために、ユーザ（たとえば、一部の、またはすべてのユーザ）によってサポートされるＭＩＭＯ構成（いくつかの実施形態では、おそらくはＭＩＭＯ構成だけ）が使用される。
【０１０６】
Ｒｅｌ−１０リレーフレームワーク内で、Ｅ３についてのＤＬタイミングにおいて、最後のＯＦＤＭシンボルがＲＮによってアクセス可能でないとき（たとえば、表２の構成１）、基準信号が第１のタイムスロット内で送信され（送信されるにすぎず）、第２のタイムスロット内の第６のＯＦＤＭシンボルは、ＲＮのためのデータを含む。ＭＵ−ＭＩＭＯの場合、同じＯＦＤＭシンボルがｍＵＥのためのＤＭＲＳを含み、これは、そのシンボル内でＲＮに送信されるデータに対して直交しない。したがって、ＲＮデータは、ｍＵＥのチャネル推定に影響を及ぼし（たとえば、かなり影響を及ぼし）、ｍＵＥ性能を劣化させる。これに対処するために、いくつかの例示的な実施形態では、ＤｅＮＢは、第２のタイムスロット内のＤＭＲＳの元の位置においてＲＮに情報を送信しない。あるいは、ＤＬグラントおよび／またはＲＮ構成メッセージが、表２の構成１が使用されるとき第２のタイムスロット内のＤＭＲＳ位置がＲＮデータに割り当てられるか否かを示す情報を含む。他の例示的な実施形態では、新しい構成が、最初の５つのＯＦＤＭシンボル（および、おそらくは、いくつかの実施形態では、これらのシンボルだけ（たとえば、表５、構成２参照））の使用を示す。第２のタイムスロットについて定義される。表５は、追加の構成と共に、第２のスロット（たとえば、通常のＣＰおよびΔｆ＝１５ｋＨｚの場合）におけるｅＮＢからＲＮへの送信のためのＯＦＤＭシンボルを示す。
【０１０７】
【表５】
2014529226.tif 000007
【０１０８】
たとえば、構成０における終了シンボルは６であり、構成１における終了シンボルは５であり、構成２における終了シンボルは５である。実施形態は、たとえば構成０において、第２のタイムスロットについて７つものシンボル（たとえば、最初の７つのシンボルの１つまたは複数）が使用されることを企図する。
【０１０９】
本明細書の説明および図１Ａないし図５Ｆに鑑みて、実施形態は、プロセッサを備える１または複数のデバイスを企図する。１または複数の実施形態では、プロセッサは、少なくとも一部には、バックホールリンクの受信端での復調用の基準として１または複数の直交カバーコード（ＯＣＣ）を生成するように構成される。また、プロセッサは、１または複数のＯＣＣを１または複数の復調基準信号（ＤＲＳ）グループで、サブフレームに関連付けられた１または複数の直交周波数分割多重化（ＯＦＤＭ）シンボルの１または複数のリソース要素に割り当てるように構成される。１または複数の実施形態では、１または複数の実施形態では、１または複数のＯＣＣは、時間領域で生成される。１または複数の実施形態では、１または複数のＯＣＣのそれぞれは、少なくとも２つのＯＣＣシンボルの長さを有する。代替として、またはそれに加えて、いくつかの実施形態では、１または複数のＯＣＣは、周波数領域で生成される。１または複数の実施形態では、１または複数のＯＣＣのそれぞれは、６個までのＯＣＣシンボルの長さを有する。代替として、またはそれに加えて、実施形態は、１または複数のＯＣＣが１または複数のＯＣＣシーケンスで生成され、１または複数のＯＣＣシーケンスのそれぞれが１または複数のＯＣＣごとに６個までのＯＣＣシンボルを含むことを企図する。さらに、いくつかの実施形態では、それぞれのＯＣＣシーケンスのそれぞれは、他のＯＣＣシーケンスに対して直交する。
【０１１０】
代替として、またはそれに加えて、１または複数の実施形態では、プロセッサは、それぞれのＤＲＳグループの各々がサブフレーム内のそれぞれ異なるタイミング、またはサブフレーム内のそれぞれ異なる周波数のうちの少なくとも１つで割り当てられるように、１または複数のＯＣＣを１または複数のＤＲＳグループで割り当てるようにさらに構成される。代替として、またはそれに加えて、１または複数の実施形態は、プロセッサが、１または複数のＯＣＣを１または複数のＤＲＳグループで、１または複数のそれぞれのＤＲＳグループの各々のＯＣＣがサブフレームの第２のタイムスロットに割り当てられないようにサブフレームの第１のタイムスロット、また１または複数のそれぞれのＤＲＳグループの各々のＯＣＣがサブフレームの１または複数の開始サブキャリアまたはサブフレームの１または複数の終了サブキャリアに割り当てられないようにサブフレームのサブキャリアの第１のサブセット、のうちの少なくとも１つにおいて、割り当てるようにさらに構成されることを企図する。
【０１１１】
代替として、またはそれに加えて、１または複数の実施形態は、サブフレームが少なくとも第１のタイムスロットと第２のタイムスロットとを有し、プロセッサが、１または複数のそれぞれのＤＲＳグループのそれぞれのＯＣＣが、サブフレームの第２のタイムスロットに関連付けられた１または複数のＯＦＤＭシンボルの最初の７つのシンボルのうちの少なくとも１つに割り当てられるように、１または複数のＯＣＣを１または複数のＤＲＳグループでサブフレームの第２のタイムスロットにおいて割り当てるようにさらに構成されることを企図する。
【０１１２】
代替として、またはそれに加えて、１または複数の実施形態は、プロセッサが、サブフレームの１または複数のリソースブロック内のＯＣＣの位置によって画定される複数のＤＲＳグループパターンの１つを選択するようにさらに構成されることを企図する。いくつかの実施形態では、１または複数のＯＣＣを１または複数のＤＲＳグループで割り当てることが、ＤＲＳパターンの選択された１つに基づく。
【０１１３】
代替として、またはそれに加えて、１または複数の実施形態は、１または複数のＯＣＣを１または複数のＤＲＳグループで、１または複数のＯＦＤＭシンボルの１または複数のリソース要素に割り当てることは、ＤＲＳグループをサブフレームのリソースブロック内の連続するＯＦＤＭシンボルに割り当てることを含むことを企図する。
【０１１４】
代替として、またはそれに加えて、１または複数の実施形態は、デバイスは固定されたリレーノードまたは移動リレーノードのうちの少なくとも１つであり、プロセッサは別のデバイスに対してサブフレームを含むバックホール通信を開始するようにさらに構成されることを企図する。代替として、またはそれに加えて、デバイスは、基地局、ドナー高度化ノードＢ（ＤｅＮＢ）、または高度化ノードＢ（ｅＮＢ）のうちの少なくとも１つである。
【０１１５】
実施形態は、無線通信ネットワークの第１のデバイスによって、無線通信ネットワークの第１のデバイスと第２のデバイスとの間のバックホールリンクの受信端での復調用の基準として、１または複数の直交カバーコード（ＯＣＣ）を生成するステップを含む１または複数の方法を企図する。また、１または複数の実施形態は、第１のデバイスによって、１または複数のＯＣＣを１または複数の復調基準信号（ＤＲＳ）グループで、サブフレームに関連付けられた１または複数の直交周波数分割多重化（ＯＦＤＭ）シンボルの１または複数のリソース要素に割り当てるステップを企図する。１または複数の実施形態は、１または複数のＯＣＣを生成するステップが、１または複数のＯＣＣをＯＣＣシーケンスで周波数領域において生成するステップを含むことを企図する。また、いくつかの実施形態は、１または複数のＯＣＣが、６個までのＯＣＣシンボルの長さを有することを企図する。１または複数の実施形態では、１または複数のＯＣＣシーケンスのそれぞれが、１または複数のＯＣＣごとに６個までのＯＣＣシンボルを含む。また、実施形態は、それぞれのＯＣＣシーケンスの各々が、他のＯＣＣシーケンスに対して直交することを企図する。
【０１１６】
１または複数の実施形態では、１または複数のＯＣＣを１または複数のＤＲＳグループで、１または複数の直交周波数分割多重化（ＯＦＤＭ）シンボルの１または複数のリソース要素に割り当てるステップは、サブフレームの隣接するＯＦＤＭシンボルに対応するリソース要素が共通のサブキャリアに対応するように、１または複数のＤＲＳグループをサブフレームの隣接するＯＦＤＭシンボルに割り当てるステップを含む。代替として、またはそれに加えて、１または複数の実施形態は、１または複数のＯＣＣを１または複数のＤＲＳグループで、１または複数の直交周波数分割多重化（ＯＦＤＭ）シンボルの１または複数のリソース要素に割り当てるステップは、サブフレームの隣接するＯＦＤＭシンボルに対応するリソース要素が少なくとも１つの異なるサブキャリアに対応するように、ＤＲＳグループをサブフレームの隣接するＯＦＤＭシンボルに割り当てるステップを含むことを企図する。
【０１１７】
１または複数の実施形態は、プロセッサを含む１または複数のデバイスを企図する。プロセッサは、少なくとも一部には、５つ以上の多入力―多出力（ＭＩＭＯ）レイヤで第２のデバイスに対するバックホールリンクを確立するように構成される。１または複数の実施形態では、プロセッサは、５つ以上のＭＩＭＯレイヤの対応するレイヤを使用して５つ以上のアンテナを介して第２のデバイスに対する通信を開始するように構成される。いくつかの実施形態では、通信は、バックホールリンクを５つ以上のＭＩＭＯレイヤで動作させるために第２のデバイスのための制御チャネル用の構成情報を含む。１または複数の実施形態では、制御チャネルの構成は、基準信号アンテナポート、直交カバーコード（ＯＣＣ）インデックス、レイヤの数、基準信号スクランブリングシーケンス、またはプリコーディングマトリクスインジケータ（ＰＭＩ）のうちの少なくとも１つを含む。１または複数の実施形態は、第２のデバイスがリレーノードであることを企図する。
【０１１８】
上記では特徴および要素が特定の組合せで述べられているが、当業者なら、各特徴または要素を、単独で、または他の特徴および要素との任意の組合せで使用することができることを理解するであろう。さらに、本明細書に記載の方法は、コンピュータまたはプロセッサによって実行するためのコンピュータ可読媒体内に組み込まれるコンピュータプログラム、ソフトウェア、またはファームウェアで実施されてもよい。非一時的なコンピュータ可読記憶媒体の例は、それだけには限らないが、読取り専用メモリ（ＲＯＭ）、ランダムアクセスメモリ（ＲＡＭ）、レジスタ、キャッシュメモリ、半導体メモリデバイス、内部ハードディスクや取外し式ディスクなど磁気媒体、光磁気媒体、およびＣＤ−ＲＯＭディスクおよびデジタル多目的ディスク（ＤＶＤ）など光媒体を含む。ソフトウェアに関連付けられたプロセッサを使用し、ＷＴＲＵ、ＵＥ、端末、基地局、ＲＮＣ、または任意のホストコンピュータ内で使用するための無線周波数トランシーバを実装してもよい。
【０１１９】
さらに、上述の実施形態では、処理用プラットフォーム、コンピューティングシステム、コントローラ、およびプロセッサを含む他のデバイスに言及されている。これらのデバイスは、少なくとも１つの中央処理装置（「ＣＰＵ」）と、メモリとを含む。コンピュータプログラミングの当業者の慣例によれば、行為および演算または命令を記号表現したものは、様々なＣＰＵおよびメモリによって実施される。そのような行為および演算または命令は、「実行される」「コンピュータによって実行される」または「ＣＰＵによって実行される」と称される。
【０１２０】
当業者なら、行為、および記号表現された演算または命令が、ＣＰＵによる電気信号の操作を含むことを理解するであろう。電気システムは、電気信号の変換または削減を結果的にもたらすことができるデータビット、およびメモリシステム内のメモリ位置でデータビットを維持し、それにより、ＣＰＵの演算、および他の信号処理を再構成し、または別の方法で変更することを表す。データビットが維持されるメモリ位置は、データビットに対応するまたはデータビットを表す、特定の電気特性、磁気特性、光特性、または有機特性を有する物理的な位置である。
【０１２１】
また、データビットは、磁気ディスク、光ディスク、およびＣＰＵによって読出し可能な任意の他の揮発性（たとえば、ランダムアクセスメモリ（「ＲＡＭ」））または不揮発性（たとえば、読出し専用メモリ（ＲＯＭ））大容量記憶システムを含む、コンピュータ可読媒体上で維持される。コンピュータ可読媒体は、協働するまたは相互接続されたコンピュータ可読媒体を含み、これらは処理システム上に排他的に存在しまたは処理システムにとってローカルまたは遠隔の複数の相互接続された処理システムの間で分散される。代表的な実施形態は、上述のメモリに限定されないことおよび他のプラットフォームおよびメモリが記載の方法をサポートすることを理解されたい。
【０１２２】
好適なプロセッサは、例として、汎用プロセッサ、専用プロセッサ、従来のプロセッサ、デジタル信号プロセッサ（ＤＳＰ）、複数のマイクロプロセッサ、ＤＳＰコアに関連付けられた１または複数のマイクロプロセッサ、コントローラ、マイクロコントローラ、特定用途向け集積回路（ＡＳＩＣ）、特定用途用標準品（ＡＳＳＰ）、フィールドプログラマブルゲートアレイ（ＦＰＧＡ）回路、任意の他のタイプの集積回路（ＩＣ）、および／または状態機械を含む。
【０１２３】
ソフトウェアと関連付けられたプロセッサを使用し、無線送信／受信ユニット（ＷＴＲＵ）、ユーザ機器（ＵＥ）、端末、基地局、無線通信移動管理装置（ＭＭＥ）または発展型パケットコア（ＥＰＣ）、または任意のホストコンピュータにおいて使用するために無線周波数トランシーバを実装する。ＷＴＲＵは、ソフトウェア無線（ＳＤＲ）を含めてハードウェアおよび／またはソフトウェアで実装されるモジュールと共に、またカメラ、ビデオカメラモジュール、テレビ電話、スピーカフォン、振動デバイス、スピーカ、マイクロフォン、テレビトランシーバ、ハンドフリー用ハンドセット、キーボード、Ｂｌｕｅｔｏｏｔｈモジュール、周波数変調（ＦＭ）無線ユニット、近距離無線通信（ＮＦＣ）モジュール、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または、任意の無線構内通信網（ＷＬＡＮ）もしくは超広帯域（ＵＷＢ）モジュールなど他の構成要素と共に使用される。
【０１２４】
さらに、実施形態が特定の例を参照して本明細書に示され述べられているが、これらの実施形態は、示されている詳細に限定されないものとする。むしろ、特許請求の範囲の等化の範囲内で、および企図されている実施形態から逸脱することなしに、様々な修正がこれらの詳細になされる。
【図１Ａ】
2014529226.tif 000008
【図１Ｂ】
2014529226.tif 000009
【図１Ｃ】
2014529226.tif 000010
【図２】
2014529226.tif 000011
【図３Ａ】
2014529226.tif 000012
【図３Ｂ】
2014529226.tif 000013
【図３Ｃ】
2014529226.tif 000014
【図４Ａ】
2014529226.tif 000015
【図４Ｂ】
2014529226.tif 000016
【図５Ａ】
2014529226.tif 000017
【図５Ｂ】
2014529226.tif 000018
【図５Ｃ】
2014529226.tif 000019
【図５Ｄ】
2014529226.tif 000020
【図５Ｅ】
2014529226.tif 000021
【図５Ｆ】
2014529226.tif 000022
【国際調査報告】
2014529226.tif 000023
2014529226.tif 000024
2014529226.tif 000025
2014529226.tif 000026
2014529226.tif 000027